(57)【要約】【課題】印刷画像と電子タグが有する識別情報とを紐づけて、対象物ごとに印刷画像を設定することができ、対象物に印刷画像を印刷するための印刷信号をプリンタに出力できるシステムを提供する。【解決手段】所定の印刷画像を対象物に印刷するプリンタを制御する情報処理システムであって、前記所定の印刷画像を識別するための識別情報が設定された非接触通信可能な電子タグから、前記識別情報を読み取る読取装置を介して、前記識別情報を取得する取得部と、前記取得部で取得された前記識別情報に基づいて、前記所定の印刷画像を特定する特定部と、前記特定部で特定された前記所定の印刷画像を前記プリンタに印刷させるための印刷信号を、前記プリンタに送信する送信部と、を備える。【選択図】図３
2020170344.tif 000002
【特許請求の範囲】
【請求項１】
所定の印刷画像を対象物に印刷するプリンタを制御する情報処理システムであって、
前記所定の印刷画像を識別するための識別情報が設定された非接触通信可能な電子タグから、前記識別情報を読み取る読取装置を介して、前記識別情報を取得する取得部と、
前記取得部で取得された前記識別情報に基づいて、前記所定の印刷画像を特定する特定部と、
前記特定部で特定された前記所定の印刷画像を前記プリンタに印刷させるための印刷信号を、前記プリンタに送信する送信部と、
を備えることを特徴とする情報処理システム。
【請求項２】
前記電子タグは、前記対象物に設けられている
ことを特徴とする請求項１に記載の情報処理システム。
【請求項３】
前記所定の印刷画像をリップ処理する前処理部
をさらに備え、
前記読取部は、前記前処理部でリップ処理した前記所定の印刷画像を示す加工画像を識別するための識別情報を読み取る
ことを特徴とする請求項１又は請求項２に記載の情報処理システム。
【請求項４】
前記識別情報に対応付けて、前記所定の印刷画像に対する印刷の設定に関する情報を示す設定情報を記憶する第１記憶部と、
をさらに備え、
前記送信部は、前記設定情報に基づいて前記プリンタに前記所定の印刷画像を印刷させるべく、前記印刷信号を前記プリンタに送信する
をさらに備えることを特徴とする請求項１乃至請求項３のいずれか一項に記載の情報処理システム。
【請求項５】
前記所定の印刷画像が印刷された前記対象物を撮影する撮影部と、
前記撮影部で撮影された前記対象物の画像を示す撮影画像と、前記識別情報と、を対応付けて記憶する第２記憶部と、
をさらに備えることを特徴とする請求項１乃至請求項４のいずれか一項に記載の情報処理システム。
【請求項６】
前記撮影部で撮影された前記撮影画像と、前記所定の印刷画像と、を照合し、前記撮影画像に含まれる前記対象物に印刷された前記所定の印刷画像に不具合があるか否かを判定する不具合判定部
をさらに備えることを特徴とする請求項５に記載の情報処理システム。
【請求項７】
前記対象物は、衣類であり、
前記所定の印刷画像を印刷するべく、前記プリンタに配置された前記対象物のタグを判定するタグ判定部
をさらに備え、
前記タグ判定部は、前記タグを認識した場合、前記対象物の前面に前記所定の印刷画像を印刷するように、前記対象物が前記プリンタに配置されていると判定する
ことを特徴とする請求項５又は請求項６に記載の情報処理システム。
【請求項８】
前記読取装置をさらに備える
ことを特徴とする請求項１乃至請求項７のいずれか一項に記載の情報処理システム。
【請求項９】
所定の印刷画像を対象物に印刷するプリンタを制御する情報制御方法であって、
コンピュータが、
前記所定の印刷画像を識別するための識別情報が設定された非接触通信可能な電子タグから、前記識別情報を読み取る読取装置を介して、前記識別情報を取得する取得ステップと、
前記取得ステップで取得された前記識別情報に基づいて、前記所定の印刷画像を特定する特定ステップと、
前記特定ステップで特定された前記所定の印刷画像を前記プリンタに印刷させるための印刷信号を、前記プリンタに送信する送信ステップと、
を実現する情報処理方法。
【請求項１０】
コンピュータに、
所定の印刷画像を識別するための識別情報が設定された非接触通信可能な電子タグから、前記識別情報を読み取る読取装置を介して、前記識別情報を取得することと、
取得された前記識別情報に基づいて、前記所定の印刷画像を特定することと、
特定された前記所定の印刷画像を対象物に対してプリンタに印刷させるための印刷信号を、前記プリンタに送信することと
を実現させるためのプログラム。
【発明の詳細な説明】
【技術分野】
【０００１】
本発明は、情報処理システム、情報処理方法、及びプログラムに関する。
【背景技術】
【０００２】
特定のアプリケーションプログラムに対応付けられた印刷設定情報に基づいて印刷指示を実行することにより、シートに画像を形成する印刷システムが開示されている（特許文献１）。
【先行技術文献】
【特許文献】
【０００３】
【特許文献１】特開２０１８−４１１４４号公報
【発明の概要】
【発明が解決しようとする課題】
【０００４】
特許文献１に記載の印刷システムは印刷設定情報に基づいて印刷できる。しかしながら、特許文献１に記載の印刷システムでは、印刷する対象物のそれぞれに対して印刷に関する設定情報を紐づけることができないため、それぞれの対象物に対する異なる画像の印刷処理においては効率が悪くなる虞があった。
【０００５】
本発明の目的は、上記のような問題に鑑みてなされたものであり、電子タグが有する識別情報に基づき印刷画像を管理することに、対象物ごとに印刷画像を特定することができ、該印刷画像を対象物に印刷するための印刷信号をプリンタに出力できるシステムを提供することにある。
【課題を解決するための手段】
【０００６】
本発明の一態様に係る情報処理システムは、所定の印刷画像を対象物に印刷するプリンタを制御する情報処理システムであって、前記所定の印刷画像を識別するための識別情報が設定された非接触通信可能な電子タグから、前記識別情報を読み取る読取装置を介して、前記識別情報を取得する取得部と、前記取得部で取得された前記識別情報に基づいて、前記所定の印刷画像を特定する特定部と、前記特定部で特定された前記所定の印刷画像を前記プリンタに印刷させるための印刷信号を、前記プリンタに送信する送信部と、を備える。
【０００７】
本発明の一態様に係る情報処理方法は、コンピュータが、前記所定の印刷画像を識別するための識別情報が設定された非接触通信可能な電子タグから、前記識別情報を読み取る読取装置を介して、前記識別情報を取得する取得ステップと、前記取得ステップで取得された前記識別情報に基づいて、前記所定の印刷画像を特定する特定ステップと、前記特定ステップで特定された前記所定の印刷画像を前記プリンタに印刷させるための印刷信号を、前記プリンタに送信する送信ステップと、を実現する。
【０００８】
本発明の一態様に係るプログラムは、コンピュータに、所定の印刷画像を識別するための識別情報が設定された非接触通信可能な電子タグから、前記識別情報を読み取る読取装置を介して、前記識別情報を取得することと、取得された前記識別情報に基づいて、前記所定の印刷画像を特定することと、特定された前記所定の印刷画像を対象物に対してプリンタに印刷させるための印刷信号を、前記プリンタに送信することと、を実現させる。
【発明の効果】
【０００９】
本発明によれば、電子タグが付される対象物ごとに自動的に印刷画像を特定できるため、操作者の作業手間を軽減することができる。
【図面の簡単な説明】
【００１０】
【図１】印刷管理システムの構成の一例を示す図である。
【図２】印刷管理システムにおけるリップ処理及び識別情報の書込処理の概要の一例を示す図である。
【図３】印刷管理システムにおける印刷処理及び検査処理の概要の一例を示す図である。
【図４】プリンタ装置の機能構成の一例を示す図である。
【図５】加工画像データベースの一例を示す図である。
【図６】サーバ装置の機能構成の一例を示す図である。
【図７】識別情報データベースの一例を示す図である。
【図８】元画像データベースの一例を示す図である。
【図９】撮影画像データベースの一例を示す図である。
【図１０】印刷管理システムの処理手順の一例を示すフロー図である。
【図１１】コンピュータのハードウェア構成の一例を示す図である。
【図１２】印刷管理システムの処理手順の他の例を示すフロー図である。
【発明を実施するための形態】
【００１１】
以下に、本発明の一実施形態における印刷管理システム１について、図面を参照して詳細に説明する。ただし、以下に説明する実施形態は、あくまでも例示であり、以下に明示しない種々の変形や技術の適用を排除する意図はない。即ち、本発明は、その趣旨を逸脱しない範囲で種々変形し、又は各実施例を組み合わせる等して実施することができる。また、以下の図面の記載において、同一または類似の部分には同一または類似の符号を付して表している。
【００１２】
＝＝構成＝＝
印刷管理システム１は、非接触無線通信可能な電子タグ５１を用いてプリンタ処理を高効率で実施するためのシステムである。電子タグ５１は、例えば、ＲＦ（Ｒａｄｉｏ  Ｆｒｅｑｕｅｎｃｙ）タグ、ＮＦＣ（Ｎｅａｒ  Ｆｉｅｌｄ  Ｃｏｍｍｕｎｉｃａｔｉｏｎ）タグ、ＵＨＦ（Ｕｌｔｒａ  Ｈｉｇｈ  Ｆｒｅｑｕｅｎｃｙ）タグなどであり、識別情報を有する。識別情報は、例えば、ＪＡＮ（Ｊａｐａｎ  Ａｒｔｉｃｌｅ  Ｎｕｍｂｅｒ）コードを、プリンタ装置２０に適用できるように変換した情報（以下、「ＪＯＢコード」ということもある。）であり、詳細は後述するが、対象物に印刷する画像や印刷の設定に関する情報に対応付けられている。
【００１３】
従来、印刷する画像と紐づくバーコードを、印刷の対象物に付して印刷処理していた。しかし、バーコードに含まれる情報は変更できないため、印刷処理の過程における各種変更につき対象物の並べ替えや各種設定操作など操作者の手間を要する虞があった。印刷管理システム１では、記録されている情報の書換え可能な電子タグ５１を用いて、識別情報と印刷する画像を紐づけている。このため、印刷順の変更や印刷する画像の変更などの各種変更に対して、識別情報を書き換えることにより容易に対応することができる。
【００１４】
また、従来、印刷処理を実行するときに、操作者はプリンタの表示部において印刷する画像を選択、サイズ調整、位置調整、印刷濃度などを設定していたため、設定ミスに起因する生産性の低下を生じる虞があった。印刷管理システム１では、電子タグ５１の識別情報を読み込むことで、識別情報に紐づく、印刷する画像及び設定に関する情報を自動的に取得することができる。これにより、印刷に関する設定を間違えず迅速に印刷することができる。
【００１５】
以下、印刷管理システム１の構成について説明する。図１は、印刷管理システム１の構成を示す図である。図１に示すように、印刷管理システム１は、例えば、タグ読書装置１０、プリンタ装置２０、サーバ装置３０、撮影装置４０を含む。なお、ここでは、一例として、タグ読書装置１０をＲＦタグに対応するＲＦＩＤ（Ｒａｄｉｏ  Ｆｒｅｑｕｅｎｃｙ  Ｉｄｅｎｔｉｆｉｅｒ）装置として説明できるが、これに限られず、例えばＮＦＣタグやＵＨＦタグなど他の規格に対応する装置であってもよい。また、各装置の機能を一の装置で実現してもよい。また、各装置のそれぞれの機能は他の装置で実現してもよい。例えばサーバ装置３０の機能をプリンタ装置２０で実現してもよい。また、図１において、各構成要素のそれぞれがネットワーク６０を介して互いに接続されているように記載しているがこれに限定されず、各構成要素間の接続はネットワーク６０を介していてもよいし、直接接続されていてもよい。以下、印刷管理システム１の各構成要素について説明する。
【００１６】
タグ読書装置１０は、衣類や靴などの布製品（以下、対象物５０という。）に設けられる電子タグ５１が有する識別情報を読み取る機能、電子タグ５１に対して識別情報を書き込む機能を有する。具体的に、タグ読書装置１０は、例えば、電子タグ５１からＪＡＮコードまたはＪＯＢコードを読み取り、又、電子タグ５１にＪＯＢコードを書き込む。タグ読書装置１０は、例えば、電子タグ５１から取得した識別情報をプリンタ装置２０に送信する。
【００１７】
プリンタ装置２０は、例えば、ガーメントプリンタであり、対象物５０に対して所定の画像をインクジェットプリントするための装置である。所定の画像とは、文字、図形、模様などを含む画像である。プリンタ装置２０は、印刷管理システム１において、例えば複数台設けられる。プリンタ装置２０は、対象物５０に所定の画像を印刷する機器であるプリンタ本体２０ａを含む。プリンタ装置２０と他の装置との情報の送受信については後述する。
【００１８】
サーバ装置３０は、例えば、サーバコンピュータなどの情報処理装置で構成され、識別情報や各種画像などを管理するサーバである。サーバ装置３０は、例えばプリンタ装置２０及び撮影装置４０と接続される。サーバ装置３０と他の装置との情報の送受信については後述する。
【００１９】
撮影装置４０（撮影部）は、対象物５０を撮影する装置である。撮影装置４０は、例えばＣＭＯＳやＣＣＤなどの撮像素子（不図示）、撮像素子において電気的に取得した画像を処理する画像処理部（不図示）、該画像を記録するメモリ（不図示）、及び他の装置と通信する通信部（不図示）を含む。撮影装置４０は、通信部を介して対象物５０を撮影した画像（以下、「撮影画像」という。）を他の装置に送信する。
【００２０】
＝＝処理の概要＝＝
印刷管理システム１における処理の概要について説明する。印刷管理システムは、印刷処理の前に、リップ処理及び識別情報の書込処理を実行する。これにより、印刷処理の際にリップ処理を省略できるため、印刷処理を効率的に実行できる。印刷管理システムは、印刷処理の後に、対象物５０に印刷した画像に不具合がないかを検査する検査処理を実行する。これにより、トレーサビリティを確保できる。
【００２１】
図２は、印刷管理システム１におけるリップ処理及び識別情報の書込処理の概要の一例を示す図である。図３は、印刷管理システム１における印刷処理及び検査処理の概要の一例を示す図である。以下、図２を参照して、リップ処理及び識別情報の書込処理について説明する。続いて、図３を参照して、印刷処理及び検査処理について説明する。
【００２２】
まず、リップ処理について説明する。リップ処理とは、所定のアプリケーションで作成した画像のデジタルデータを、印刷に適したデータに変換するための処理である。具体的には、リップ処理は、ベクターデータから、プリンタ装置２０に応じたラスターデータに変換する処理であり、さらに、ＲＧＢからＣＭＹＫへの変換、トラッピング（毛抜き合わせ）などを含んでいてもよい。リップ処理は、専用のハードウェアを用いて実行する所謂ハードウェアリップ、プロセッサを用いて実行する所謂ソフトウェアリップのいずれでもよい。
【００２３】
リップ処理に関する手順について具体的に説明する。図２に示すように、プリンタ装置２０は、サーバ装置３０から、画像（以下、「元画像」という。）及び元画像に紐づく設定情報を取得する（Ｓ１０）。元画像とは、対象物５０に印刷する画像を示すデータである。設定情報とは、例えば、ＪＯＢコードを含み、プリンタ本体２０ａで対象物５０に画像を印刷する際の、対象物５０に対する画像の位置、大きさ、色調、解像度、インク量などを示すデータである。プリンタ装置２０（前処理部２４）は、元画像に対してリップ処理を実行する（Ｓ１１）。プリンタ装置２０は、リップ処理を実行した元画像（以下、「加工画像」という。）を、設定情報と紐づけて記憶装置１０３（図１１参照）に記憶する。本手順により、印刷処理を実行する前に、リップ処理を完了するため、印刷の効率化を図ることができる。
【００２４】
次に、識別情報の書込処理について説明する。識別情報の書込処理とは、ＪＯＢコードを電子タグ５１に書き込むための処理である。図２に示すように、タグ読書装置１０は、対象物５０に設けられた電子タグ５１が所定の距離に接近すると、電子タグ５１に初期設定されている例えばＪＡＮコードを読み取る（Ｓ１２）。タグ読書装置１０は、読み取ったＪＡＮコードを、プリンタ装置２０に送信する（Ｓ１３）。プリンタ装置２０は、ＪＡＮコードを取得すると、例えば、サーバ装置３０にアクセスし、後述する識別情報データベース３１を参照して、該ＪＡＮコードに対応するＪＯＢコードを特定する（Ｓ１４）。プリンタ装置２０は、サーバ装置３０から、特定されたＪＯＢコードを取得する（Ｓ１５）。プリンタ装置２０は、タグ読書装置１０を介して、電子タグ５１に該ＪＯＢコードを書き込む（Ｓ１６，Ｓ１７）。これにより、対象物５０にＪＯＢコードを割り当てることができるため、プリンタ装置２０に対して対象物５０に対応する印刷設定をせずに、プリンタ装置２０は、ＪＯＢコードに紐づく加工画像及び設定情報に基づいて印刷処理を実行できる。なお、Ｓ１４，Ｓ１５におけるＪＯＢコードを特定する手順について、識別情報データベース３１を参照する方法に限定されず、例えば操作者により任意にＪＯＢコードを設定してもよい。
【００２５】
次に、印刷処理について説明する。印刷処理とは、加工画像を対象物５０に印刷する処理である。図３に示すように、タグ読書装置１０は、対象物５０の電子タグ５１が所定の距離に接近すると、電子タグ５１からＪＯＢコードを読み取る（Ｓ２０）。プリンタ装置２０は、タグ読書装置１０からＪＯＢコードを取得する（Ｓ２１）。プリンタ装置２０は、取得したＪＯＢコードに紐づく加工画像を特定する（Ｓ２２）。これにより、対象物５０における、印刷する加工画像、及び設定情報を特定できる。プリンタ装置２０は、例えば、サーバ装置３０に加工画像が保存されているＵＲＬを送信する（Ｓ２３）。これにより、サーバ装置３０は加工画像をダウンロードできる。なお、プリンタ装置２０は、ＵＲＬに替えて、サーバ装置３０に加工画像を送信してもよい。プリンタ装置２０は、加工画像に対応する実行コマンドを実行する。プリンタ本体２０ａは、加工画像を対象物５０に印刷する（Ｓ２４）。
【００２６】
次に、検査処理について説明する。検査処理とは、対象物５０に印刷された加工画像（以下、「印刷画像」という。）の状態を検査する処理である。図３に示すように、プリンタ装置２０は、プリンタ本体２０ａからプリント終了のステータスを取得すると、撮影装置４０に撮影開始を示す撮影信号を出力する（Ｓ２５）。撮影装置４０は対象物５０を撮影する（Ｓ２６）。撮影装置４０は、対象物５０における印刷画像が写る撮影画像をプリンタ装置２０に送信する（Ｓ２７）。プリンタ装置２０は、撮影画像をサーバ装置３０に送信する（Ｓ２８）。なお、撮影装置４０は、撮影画像をサーバ装置３０に直接送信してもよい。サーバ装置３０は、印刷画像と加工画像とを照合することにより、印刷画像に不具合がないか判定する（Ｓ２９）。不具合の判定方法は特に限定されず、例えばＡＩ（Ａｒｔｉｆｉｃｉａｌ  Ｉｎｔｅｌｌｉｇｅｎｃｅ）を用いた画像解析手段を用いる。これにより、印刷の不具合を出荷前に発見することができ、さらに、対象物５０の出荷後、必要に応じて出荷時における印刷の状態を確認することができる。ここで、印刷画像に不具合を発見した場合、サーバ装置３０は、不具合を生じた対象物５０と同じＪＯＢコードを、タグ読書装置１０により新たな対象物５０の電子タグ５１に書き込ませ、該ＪＯＢコードに紐づく加工画像および設定情報により、再度、迅速に印刷処理を実行できる。
【００２７】
＝＝機能構成＝＝
次に、上記の各種処理を実現するために、プリンタ装置２０及びサーバ装置３０が備える機能について説明する。なお、タグ読書装置１０及び撮影装置４０の機能については上述したとおりであるため、その説明を省略する。
【００２８】
＜＜プリンタ装置２０＞＞
まず、図４を参照して、プリンタ装置２０の機能構成について説明する。図４は、プリンタ装置２０の機能構成の一例を示す図である。図４に示すとおり、プリンタ装置２０は、例えば、加工画像データベース２１、取得部２２、送信部２３、前処理部２４、特定部２５の機能を有する。プリンタ装置２０が有する機能は、図１１に示す、プリンタ装置２０の制御部（プロセッサ１０１）が、記憶装置１０３に記憶されたコンピュータプログラムを読み込み、実行し、プリンタ装置２０の各構成を制御すること等により実現される。
【００２９】
図５は、加工画像データベース２１（第１記憶部）の構成例を示している。図５に示すように、加工画像データベース２１は、データ項目として、例えば、ＪＯＢコード、加工画像、及び設定情報を含む。ＪＯＢコードは、対象物５０を識別する識別符号である。加工画像は、ＪＯＢコードに紐づく情報であり、元画像をリップ処理した画像データである。設定情報は、ＪＯＢコードに紐づく情報であり、対象物５０における画像の位置、倍率、色調などを示す情報である。
【００３０】
取得部２２は、例えば、タグ読書装置１０及びサーバ装置３０との間において、識別情報、元画像、及び設定情報を取得する機能である。
【００３１】
送信部２３は、例えば、タグ読書装置１０及びサーバ装置３０との間において、識別情報、加工画像、及び撮影画像を送信する機能である。また、送信部２３は、プリンタ本体２０ａが対象物５０に加工画像を印刷するための印刷信号を送信する所謂プロキシ機能を有する。
【００３２】
前処理部２４は、例えば、元画像をリップ処理して加工画像を生成する機能である。また、前処理部２４は、加工画像を加工画像データベース２１に格納する所謂キャッシュ機能を有する。
【００３３】
従来のプリンタは上記のキャッシュ機能を有しておらず、印刷処理においてリップ処理を実行していたため、その分時間を要していた。前処理部２４を備えることにより、印刷処理の前にリップ処理を実行できるため、従来よりも短時間で印刷処理を完了できる。
【００３４】
ここで、印刷管理システム１が複数のプリンタ装置２０で構成されている場合、複数のプリンタ装置２０のうち少なくとも一台のプリンタ装置２０が、前処理部２４を備えていればよい（インストールされていればよい）。他のプリンタ装置２０は例えばネットワーク６０を介して前処理部２４の機能を共有する。これにより複数のプリンタ装置２０において同時に印刷処理を実行できる。
【００３５】
特定部２５は、例えば、取得部２２で取得された識別情報に基づいて、元画像、加工画像を特定する機能である。
【００３６】
＜＜サーバ装置３０＞＞
次に、図６を参照して、サーバ装置３０の機能構成について説明する。図６は、サーバ装置３０の機能構成の一例を示す図である。図６に示すとおり、サーバ装置３０は、識別情報データベース３１、元画像データベース３２、加工画像データベース３３、撮影画像データベース３４、取得部３５、送信部３６、不具合判定部３７、タグ判定部３８の機能を有する。サーバ装置３０が有する機能は、図１１に示す、サーバ装置３０の制御部（プロセッサ１０１）が、記憶装置１０３に記憶されたコンピュータプログラムを読み込み、実行し、サーバ装置３０の各構成を制御すること等により実現される。
【００３７】
図７は、識別情報データベース３１の構成例を示している。図７に示すように、識別情報データベース３１は、データ項目として、例えばＪＡＮコード、及びそれに紐づくＪＯＢコードを含む。
【００３８】
図８は、元画像データベース３２の構成例を示している。図８に示すように、元画像データベース３２は、データ項目として、例えばＪＯＢコード、及びそれに紐づく元画像を含む。
【００３９】
加工画像データベース３３は、図５に示す加工画像データベース２１と同様であるため、その説明を省略する。
【００４０】
図９は、撮影画像データベース３４（第２記憶部）の構成例を示している。図９に示すように、撮影画像データベース３４は、データ項目として、例えばＪＯＢコード、及びそれに紐づく撮影画像を含む。
【００４１】
上述した各種データベースの構成からわかるように、印刷管理システム１では、電子タグ５１に書き込んだＪＯＢコードに、元画像、加工画像、設定情報、及び撮影画像が紐づいているため、ＪＯＢコードでの一元管理が可能となる。
【００４２】
取得部３５は、例えば、タグ読書装置１０、プリンタ装置２０、及び撮影装置４０との間において、識別情報、加工画像（ＵＲＬを含む）、及び撮影画像を取得する機能である。
【００４３】
送信部３６は、例えば、タグ読書装置１０及びプリンタ装置２０との間において、識別情報、元画像、及び設定情報を送信する機能である。
【００４４】
不具合判定部３７は、撮影装置４０で撮影された撮影画像と加工画像とを照合し、対象物５０の印刷画像に不具合がないか否かを判定する機能である。不具合判定部３７は、例えばＡＩを用いた画像解析手段により、印刷にじみ、印刷抜け、色違いなどの不具合を判定する。
【００４５】
タグ判定部３８は、撮影装置４０で撮影された画像に基づいて、対象物５０である衣類の表示タグを判定する機能である。表示タグとは、例えば衣類における首回りとなる襟近辺の首裏に対向する箇所に設けられるタグである。タグ判定部３８は、該表示タグを認識した場合、対象物５０の前面に画像が印刷されるように、対象物５０がプリンタ本体２０ａに配置されていると判定する。具体的には、例えば、設定情報において、加工画像を対象物５０の前面に印刷するよう設定されている場合は、送信部３６を介して印刷信号をプリンタ本体２０ａに送信し、加工画像を対象物５０の背面に印刷するよう設定されている場合は、対象物５０を配置しなおすよう表示装置に表示する。これにより、対象物５０における前面、背面への印刷間違いを防止できる。
【００４６】
＝＝処理手順＝＝
図１０は、印刷管理システム１における処理手順の一例を示すフロー図である。図１０を参照して、印刷管理システム１により実行される処理手順の一例を説明する。
【００４７】
まず、ステップＳ１００において、プリンタ装置２０は、サーバ装置３０の元画像データベース３２から取得した元画像をリップ処理する。プリンタ装置２０は、リップ処理した加工画像を加工画像データベース２１に格納するとともに、サーバ装置３０に加工画像又は加工画像に関するＵＲＬを送信する。これにより、事前にリップ処理した加工画像をキャッシュするため、印刷処理における処理時間を短縮できる。
【００４８】
次に、ステップＳ１０１において、タグ読書装置１０は、対象物５０に設けられる電子タグ５１に所定のＪＯＢコードを書込む。これにより、対象物５０に加工画像を印刷する直前において、対象物５０に、加工画像及び設定情報が紐づいたＪＯＢコードを割り振ることができるため、対象物５０の在庫を保管するためのスペースが不要となる。この手順は、バーコードで管理するシステムにおいては、情報を書き換えられないというバーコードの性質から、実現できなかったことである。
【００４９】
上述したステップＳ１００、Ｓ１０１において、印刷処理を開始するまでの事前準備が完了する。
【００５０】
次に、ステップＳ１０２において、プリンタ装置２０は、タグ読書装置１０を介して対象物５０に紐づくＪＯＢコードを取得する。次に、ステップＳ１０３において、プリンタ装置２０は、加工画像データベース２１を参照して、取得したＪＯＢコードに紐づく加工画像及び設定情報を特定する。このとき、プリンタ装置２０は、対象物５０が衣類である場合、衣類の表示タグを確認することにより、対象物５０が前面に印刷するようにセットされているか、又は背面に印刷するようにセットされているかを判定することが望ましい。次に、ステップＳ１０４において、プリンタ装置２０は、プリンタ本体２０ａに対して、対象物５０に加工画像を印刷するための印刷信号を送信する。
【００５１】
次に、ステップＳ１０５において、プリンタ装置２０は、プリンタ本体２０ａからプリント終了のステータスを取得すると、撮影装置４０に撮影開始を示す撮影信号を出力する。撮影装置４０は加工画像が印刷された対象物５０を撮影する。プリンタ装置２０は撮影装置４０から撮影画像を取得する。次に、ステップＳ１０６において、サーバ装置３０は、プリンタ装置２０又は撮影装置４０から取得した撮影画像をＪＯＢコードに紐づけて撮影画像データベース３４に格納するとともに、撮影画像に基づいて印刷の不具合の有無を判定する。サーバ装置３０は、印刷画像に不具合を発見した場合、不具合を生じた対象物５０と同じＪＯＢコードを、タグ読書装置１０により新たな対象物５０の電子タグ５１に書き込ませ、該ＪＯＢコードに紐づく加工画像および設定情報により、再度、迅速に印刷処理を実行できる。
【００５２】
以上、印刷管理システム１によれば、電子タグ５１にＪＯＢコードを設定することにより、印刷する段階、印刷した後の段階のいずれにおいても、ＪＯＢコードによる一元管理が可能となるため、印刷の効率化、及びトレーサビリティを確保することができる。さらに、プリンタ装置２０にキャッシュ機能を備えることにより、事前にリップ処理を実行することができるため、対象物５０に加工画像をプリントするための時間を大幅に短縮することができる。
【００５３】
［ハードウェア構成］
図１１を参照して、プリンタ装置２０及びサーバ装置３０をコンピュータ１００により実現する場合のハードウェア構成の一例を説明する。なお、それぞれの装置の機能は、複数台の装置に分けて実現することもできる。
【００５４】
図１１は、コンピュータのハードウェア構成の一例を示す図である。図１１に示すように、コンピュータ１００は、プロセッサ１０１と、メモリ１０２と、記憶装置１０３と、入力Ｉ／Ｆ部１０４と、データＩ／Ｆ部１０５と、通信Ｉ／Ｆ部１０６、及び表示装置１０７を含む。
【００５５】
プロセッサ１０１は、メモリ１０２に記憶されているプログラムを実行することによりコンピュータ１００における各種の処理を制御する制御部である。
【００５６】
メモリ１０２は、例えばＲＡＭ（Ｒａｎｄｏｍ  Ａｃｃｅｓｓ  Ｍｅｍｏｒｙ）等の記憶媒体である。メモリ１０２は、プロセッサ１０１によって実行されるプログラムのプログラムコードや、プログラムの実行時に必要となるデータを一時的に記憶する。
【００５７】
記憶装置１０３は、例えばハードディスクドライブ（ＨＤＤ）やフラッシュメモリ等の不揮発性の記憶媒体である。記憶装置１０３は、オペレーティングシステム、上記各構成を実現するための各種プログラム、及び上述した各種データベースなどを記憶する。
【００５８】
入力Ｉ／Ｆ部１０４は、ユーザからの入力を受け付けるためのデバイスである。入力Ｉ／Ｆ部１０４の具体例としては、キーボードやマウス、タッチパネル、各種センサ、ウェアラブル・デバイス等が挙げられる。入力Ｉ／Ｆ部１０４は、例えばＵＳＢ（Ｕｎｉｖｅｒｓａｌ  Ｓｅｒｉａｌ  Ｂｕｓ）等のインタフェースを介してコンピュータ１００に接続されても良い。
【００５９】
データＩ／Ｆ部１０５は、コンピュータ１００の外部からデータを入力するためのデバイスである。データＩ／Ｆ部１０５の具体例としては、各種記憶媒体に記憶されているデータを読み取るためのドライブ装置等がある。データＩ／Ｆ部１０５は、コンピュータ１００の外部に設けられることも考えられる。その場合、データＩ／Ｆ部１０５は、例えばＵＳＢ等のインタフェースを介してコンピュータ１００へと接続される。
【００６０】
通信Ｉ／Ｆ部１０６は、コンピュータ１００の外部の装置と有線又は無線により、インターネットＮを介したデータ通信を行うためのデバイスである。通信Ｉ／Ｆ部１０６は、コンピュータ１００の外部に設けられることも考えられる。その場合、通信Ｉ／Ｆ部１０６は、例えばＵＳＢ等のインタフェースを介してコンピュータ１００に接続される。
【００６１】
表示装置１０７は、各種情報を表示するためのデバイスである。表示装置１０７の具体例としては、例えば液晶ディスプレイや有機ＥＬ（Ｅｌｅｃｔｒｏ−Ｌｕｍｉｎｅｓｃｅｎｃｅ）ディスプレイ、ウェアラブル・デバイスのディスプレイ等が挙げられる。表示装置１０７は、コンピュータ１００の外部に設けられても良い。その場合、表示装置１０７は、例えばディスプレイケーブル等を介してコンピュータ１００に接続される。また、入力Ｉ／Ｆ部１０４としてタッチパネルが採用される場合には、表示装置１０７は、入力Ｉ／Ｆ部１０４と一体化して構成することが可能である。
【００６２】
＝＝他の実施例＝＝
上記において、プリンタ装置２０は、加工画像データベース２１を有しているよう説明したが、加工画像データベース２１を有していなくてもよい。この場合、プリント処理を実行する際に、プリンタ装置２０はサーバ装置３０から加工画像を取得すればよい。
【００６３】
上記において、プリンタ装置２０は、前処理部２４を有しているよう説明したが、前処理部２４を有していなくてもよい。以下、この場合における処理フローの一例について説明する。図１２は、印刷管理システム１の処理手順の他の例を示すフロー図である。なお、図１２におけるＳ２００，Ｓ２０１，Ｓ２０４〜Ｓ２０６は、図１０におけるＳ１０１，Ｓ１０２，Ｓ１０４〜Ｓ１０６とそれぞれ同じであるため、その説明を省略する。
【００６４】
Ｓ２０２において、プリンタ装置２０は、元画像データベース３２を参照して、取得したＪＯＢコードに紐づく元画像及び設定情報を特定する。次に、Ｓ２０３において、プリンタ装置２０は、元画像をリップ処理して、加工画像を生成する。本手順は、印刷処理をする際に、リップ処理を実行する手順である。これにより、前処理部２４を備えている場合と比較して印刷処理にかかる時間は増加するが、前処理部２４にかかるシステム設計及びシステム導入費用を削減することができる。
【００６５】
なお、述した実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【００６６】
１…印刷管理システム、１０…タグ読書装置、２０…プリンタ装置、２０ａ…プリンタ本体、２１…加工画像データベース、２２…取得部、２３…送信部、２４…前処理部、２５…特定部、３０…サーバ装置、３１…識別情報データベース、３２…元画像データベース、３３…加工画像データベース、３４…撮影画像データベース、３５…取得部、３６…送信部、３７…不具合判定部、３８…タグ判定部、４０…撮影装置、５０…対象物、５１…電子タグ。
【図１】
2020170344.tif 000003
【図２】
2020170344.tif 000004
【図３】
2020170344.tif 000005
【図４】
2020170344.tif 000006
【図５】
2020170344.tif 000007
【図６】
2020170344.tif 000008
【図７】
2020170344.tif 000009
【図８】
2020170344.tif 000010
【図９】
2020170344.tif 000011
【図１０】
2020170344.tif 000012
【図１１】
2020170344.tif 000013
【図１２】
2020170344.tif 000014
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
所定の画像を対象物に印刷するプリンタを制御する情報処理システムであって、
識別情報に対応付けて、画像と、当該画像に対する印刷の設定に関する情報を示す設定情報と、を記憶する第１記憶部と、
前記対象物に設けられた非接触通信可能な電子タグから、読取装置を介して、識別情報を取得する取得部と、
前記第１記憶部から、前記取得部で取得された前記識別情報に対応付けられた画像と設定情報とを特定する特定部と、
前記対象物に対して前記特定部で特定された前記画像を前記特定部で特定された前記設定情報に基づいて前記プリンタに印刷させるための印刷信号を、前記プリンタに送信する送信部と、
を備え情報処理システム。
【請求項２】
前記設定情報は、前記対象物に前記画像を印刷する際の、前記対象物に対する前記画像の位置または大きさを示すデータを含む、
請求項１に記載の情報処理システム。
【請求項３】
前記第１記憶部に記憶される前記画像は、予めリップ処理された加工画像である、
請求項１又は請求項２に記載の情報処理システム。
【請求項４】
前記所定の印刷画像が印刷された前記対象物を撮影する撮影部と、
前記撮影部で撮影された前記対象物の画像を示す撮影画像と、前記識別情報と、を対応付けて記憶する第２記憶部と、
をさらに備える請求項１から請求項３のいずれか一項に記載の情報処理システム。
【請求項５】
前記撮影部で撮影された前記撮影画像と、前記所定の印刷画像と、を照合し、前記撮影画像に含まれる前記対象物に印刷された前記所定の印刷画像に不具合があるか否かを判定する不具合判定部、
をさらに備える請求項４に記載の情報処理システム。
【請求項６】
前記所定の印刷画像を印刷するべく、前記プリンタに配置された前記対象物のタグを判定するタグ判定部、
をさらに備え、
前記タグ判定部は、前記タグを認識した場合、前記対象物の前面に前記所定の印刷画像を印刷するように、前記対象物が前記プリンタに配置されていると判定する、
請求項４又は請求項５に記載の情報処理システム。
【請求項７】
前記読取装置をさらに備える、
ことを特徴とする請求項１乃至請求項６のいずれか一項に記載の情報処理システム。
【請求項８】
所定の印刷画像を対象物に印刷するプリンタを制御する情報制御方法であって、
コンピュータが、
識別情報に対応付けて、画像と、当該画像に対する印刷の設定に関する情報を示す設定情報と、を第１記憶部に記憶する記憶ステップと、
前記対象物に設けられた非接触通信可能な電子タグから、読取装置を介して、識別情報を取得する取得ステップと、
前記第１記憶部から、前記取得ステップで取得された前記識別情報に対応付けられた画像と設定情報とを特定する特定ステップと、
前記対象物に対して前記特定ステップで特定された前記画像を前記特定ステップで特定された前記設定情報に基づいて前記プリンタに印刷させるための印刷信号を、前記プリンタに送信する送信ステップと、
を実現する情報処理方法。
【請求項９】
コンピュータに、
識別情報に対応付けて、画像と、当該画像に対する印刷の設定に関する情報を示す設定情報と、を第１記憶部に記憶することと、
対象物に設けられた非接触通信可能な電子タグから、読取装置を介して、識別情報を取得することと、
前記第１記憶部から、取得された前記識別情報に対応付けられた画像と設定情報とを特定することと、
前記対象物に対して、特定された前記画像を、特定された前記設定情報に基づいてプリンタに印刷させるための印刷信号を、前記プリンタに送信することと、
を実現させるためのプログラム。